(57)【特許請求の範囲】
【請求項１】
身体側の透液性トップシートと、外面側のバックシートとの間に吸収体が介在された紙おむつ本体を長手方向中央部から折り畳むことにより前身頃及び後身頃が形成され、前記前身頃及び後身頃の両側縁部を接合してなるパンツ式の紙おむつであって、前記バックシートは、外面全体が面ファスナーのメス材として、オス材と係合するように構成されており、前記バックシートの外面に、一辺の長さが略同寸法の矩形状をなす基体シートの表面中央部にデザインが施された止着ワッペンを備え、前記止着ワッペンは、前記メス材と係合する面ファスナーのオス材が前記基体シートの裏面の両端部の全幅に亘って設けられ、かつ、前記デザインが施された基体シートが当該デザインの外周に刻設された切取線に沿い当該基体シートの輪郭部を残して前記面ファスナーから分離可能とされてなり、前記止着ワッペンを、当該紙おむつの後処理、サイズ調整、前記両側縁の接合部の補修、或いは、乳幼児の知育目的や遊戯具として使用可能としたことを特徴とするパンツ式の紙おむつ。
【発明の詳細な説明】
【技術分野】
【０００１】
本発明は、紙おむつに関し、さらに詳細には、紙おむつの後処理を始め、当該紙おむつの締め付けや補修あるいは乳幼児の知育等の多目的に使用できる止着ワッペンを備えたパンツ式の紙おむつに関する。
【背景技術】
【０００２】
従来、使い捨ての紙おむつや生理用ナプキン、あるいは各種パッド等の吸収性物品は、目的や用途により形状の異なる種々のものが一般に知られ、実用化されているが、その物品本体の基本的な構成は大差がないものということができる。
【０００３】
例えば、図１１に展開平面図で示すような吸収性物品、すなわちパンツ式の使い捨て紙おむつ１は、ポリエチレン等から成るバックシート２上に、前部と後部の腰周り部分に糸ゴム等から成る複数本の弾性伸縮部材３、４を配設すると共に、一方の脚周りの前身頃Ｆ端から紙おむつ本体５の下部を巡って他方の脚周りの前身頃Ｆ端に連続した第１弾性伸縮部材６と、一方の脚周りの後身頃Ｂ端から紙おむつ本体５の股下部分を巡って他方の脚周りの後身頃Ｂ端に連続した第２弾性伸縮部材７を配設し、このバックシート２上に吸収体８を配置し、さらにこの上に不織布等から成る透液性トップシート９を重ね、予め砂時計状に形成された紙おむつ本体５を中心線Ｃ−Ｃを基準とし、矢印Ｙ０で示すように、長手方向中央部から前後方向に折り畳み、この両側縁部分をヒートシール溶着又は超音波溶着等により接合することにより図１２に斜視図で示すようなパンツ式の紙おむつとしたものである。
【０００４】
なお、この他の変更例として、目的や用途等により、紙おむつ本体５に立体ギヤザーや平面ギャザーが設けられたもの、あるいはバックシート２の内側に防水フィルムが設けられたもの等が公知である。
【０００５】
ところで、このような使い捨ての紙おむつ１には、図１２に示すように、後処理時に使用される部材、すなわち廃棄用止着テープ１０が後身頃Ｂの中央部上方に位置するバックシート２の表面から突出した状態で設けられている。この廃棄用止着テープ１０は、図１３に図１２のＸ−Ｘ断面矢視図で示すように、通常、一端部１０ａがバックシート２の上面にヒートシール等により固定され、中央部１０ｂで複数回折り返された後、剥離できる程度に粘着剤１１により貼着され、先端部１０ｃを摘んで引き出すことができるように設けられている。この廃棄用止着テープ１０は、紙おむつ１の廃棄時に先端部１０ｃを摘んで矢印Ｙ１方向に引き出し、紙おむつ１をぐるぐると巻き上げてコンパクトにした後この後端部を止着するように使用される。（例えば、特許文献１参照）
【先行技術文献】
【特許文献】
【０００６】
【特許文献１】実開平６−７７７２２号公報
【発明の概要】
【発明が解決しようとする課題】
【０００７】
しかしながら、このような廃棄用止着テープ１０が設けられた使い捨ての紙おむつ１では、テープ自体がバックシート２の外面から突出しているため、着用者、とくに乳幼児が着用中に手でさわり、廃棄用止着テープ１０を無意識の内に引っ張ってしまうことがあった。このように廃棄用止着テープ１０を一旦引き出してしまうと、この廃棄用止着テープ１０が紙おむつ１から垂れ下がって粘着部１１があちこちに付着し、後処理ができなくなるばかりでなく、見た目にも悪いものとなっていた。また、このような廃棄用止着テープ１０は、あくまでも後処理時にのみ使用されるものであって、格別な目的を有するものではなかった。
【０００８】
本発明は、上述したような実情に鑑みてなされたもので、その目的とするところは、乳幼児等の着用者が着用中に引き出してしまうことがなく、紙おむつ本体の外面に対し自由に着脱ができ、かつ必要なときにはいつでも何度でも使用することができ、また、紙おむつ本体の身体への締め付けやサイドシール部の破損時における脇部補修としても使用でき、さらにまた、乳幼児の知育目的としても使用できるようにした、用途の極めて広い止着ワッペンを備えたパンツ式の紙おむつを提供することにある。
【課題を解決するための手段】
【０００９】
本発明の上記目的は、身体側の透液性トップシートと、外面側のバックシートとの間に吸収体が介在された紙おむつ本体を長手方向中央部から折り畳むことにより前身頃及び後身頃が形成され、前記前身頃及び後身頃の両側縁部を接合してなるパンツ式の紙おむつであって、前記バックシートは、外面全体が面ファスナーのメス材として、オス材と係合するように構成されており、前記バックシートの外面に、一辺の長さが略同寸法の矩形状をなす基体シートの表面中央部にデザインが施された止着ワッペンを備え、前記止着ワッペンは、前記メス材と係合する面ファスナーのオス材が前記基体シートの裏面の両端部の全幅に亘って設けられ、かつ、前記デザインが施された基体シートが当該デザインの外周に刻設された切取線に沿い当該基体シートの輪郭部を残して前記面ファスナーから分離可能とされてなり、前記止着ワッペンを、当該紙おむつの後処理、サイズ調整、前記両側縁の接合部の補修、或いは、乳幼児の知育目的や遊戯具として使用可能としたことを特徴とするパンツ式の紙おむつを提供することにより達成される。
【発明の効果】
【００１６】
本発明に係わる紙おむつは、乳幼児等の着用者が着用中に引き出してしまうことがなく、紙おむつ本体の外面に対し自由に着脱ができ、かつ必要なときにはいつでも何度でも使用することができ、また、紙おむつ本体の身体への締め付けやサイドシール部の破損時における脇部補修としても使用でき、さらにまた、乳幼児の知育目的としても使用できるという、用途の極めて広い止着ワッペンを備えているので、本紙おむつによれば実用上顕著な効果を奏する。
【図面の簡単な説明】
【００１７】
【図１】本発明に係わる紙おむつの斜視図である。
【図２】図１に示す紙おむつを平坦に折り畳んで正面から見た図である。
【図３】本発明の要部である止着ワッペンの斜視図である。
【図４】図４に示す止着ワッペンの横断面図である。
【図５】紙おむつの廃棄状態を示す斜視図である。
【図６】止着ワッペンの変更例を示す斜視図である。
【図７】止着ワッペンの変更例を示す斜視図である。
【図８】止着ワッペンの変更例を示す斜視図である。
【図９】止着ワッペンの変更例を示す斜視図である。
【図１０】止着ワッペンを製品パッケージに添付した状態を示す斜視図である。
【図１１】従来の紙おむつの展開平面図である。
【図１２】図１０に示す紙おむつの組立体の斜視図である。
【図１３】図１２におけるＸ−Ｘ断面矢視図である。
【発明を実施するための形態】
【００１８】
以下、本発明の内容を、使い捨てのパンツ式紙おむつを例に説明するが、本発明は必ずしもこの実施例に限定されるものではなく、特許請求の範囲を逸脱しない範囲内において種々の変更ができることはいうまでもない。
【００１９】
図１は、本発明の一実施形態に係わるパンツ式の使い捨て紙おむつ（以下「本紙おむつ」という）１０１の組立体、すなわち着用時の状態を示す斜視図、図２はこの紙おむつ１０１を平坦に畳んで後身頃１００Ｂ側から見た図である。なお、本紙おむつ１０１は、後述する止着ワッペン１１０を主とする構成の一部を除き、その他の構成は前述した従来の紙おむつ１と実質的に同一であるので、以下では紙おむつ１と対応する構成部品には１００番台の同一の符号を付して説明する。
【００２０】
本紙おむつ１０１は、前記紙おむつ１と同様に、ポリエチレン等から成るバックシート１０２上に、前部と後部の腰周り部分に糸ゴム等から成る複数本の弾性伸縮部材１０３、１０４を配設すると共に、一方の脚周りの前身頃１００Ｆ端から紙おむつ本体１０５の下部を巡って他方の脚周りの前身頃１００Ｆ端に連続した第１弾性伸縮部材１０６と、一方の脚周りの後身頃１００Ｂ端から紙おむつ本体１０５の股下部分を巡って他方の脚周りの後身頃１００Ｂ端に連続した第２弾性伸縮部材１０７を配設し、この不透過性バックシート１０２上に吸収体１０８を配置し、さらにこの上に不織布等から成る透液性トップシート１０９を重ね、予め砂時計状に形成された紙おむつ本体１０５を長手方向中央部から前後方向に折り畳み、この両側縁部分をヒートシール溶着又は超音波溶着等により接合することにより図１に斜視図で示すようなパンツ式の紙おむつとしたものである。
【００２１】
本紙おむつ１０１では、紙おむつ本体１０５の外面、すなわちバックシート１０２の外面全域に雲型模様を象ったデザイン１２０が分散して印刷されており、前身頃１００Ｆの中央部上方のバックシート１０２外面には止着ワッペン１１０が止着されている。この止着ワッペン１１０は、一辺が５ｃｍ前後のプラスチックフィルムから成る矩形状の基体シート１１１で形成され、この裏面側の上下端部側には矩形状の面ファスナー１１２ａ、１１２ｂが接着されて成っている。このように、この止着ワッペン１１０は、バックシート１０２の外面に対し再止着再剥離可能で物品本体１０５から完全に分離できるシート状部材、すなわち面ファスナー１１２ａ、１１２ｂを有して成る使い捨てシートで構成されている。
【００２２】
この基体シート１１１面の中央部には動物（小熊）が飛行機に乗っている模様を象ったデザイン１３０が印刷されている。なお、図３に斜視図で、図４に横断面図で示すように、このデザイン１３０が施されたシート１１１ａは外周にミシン目による切取線１３１が刻設されていて、矢印Ｙ２で示すように、デザイン１３０が施されたシート１１１ａは基体シート１１１の輪郭部を残し、面ファスナー１１２ａ、１１２ｂから剥ぎ取ることができるようになっている。なお、このようにして剥ぎ取られたシート１１１ａは、一種のワッペンとしての機能を有し、着用者である乳幼児の知育目的や遊戯具として利用される。
【００２３】
ここに、上述した各デザイン１２０、１３０は、周知の印刷技法により施すことができ、また、施されるデザインも、目的に応じ、任意の絵柄、模様、あるいは文字等を自由に選定することができる。なお、デザインについては、デザイン１２０とデザイン１３０とを互いに関連させ、違和感のないものとすることが、乳幼児の関心度、あるいは紙おむつのデザインの面から好ましい。
【００２４】
一方、止着ワッペン１１０の裏面側において互いに離間して設けられる面ファスナー１１２ａ、１１２ｂは、断面形状がフック状、あるいはきのこ状をなす鉤状部材、すなわちオス材１１２ａ１、１１２ｂ１を表面に有する公知のものである。このオス材１１２ａ１、１１２ｂ１がバックシート１０２によって形成されるループ状の係止部材、すなわちメス材と係合することによりメカニカルシールが構成され、この止着ワッペン１１０がバックシート１０２の外面の所定位置に着脱自在に止着される。したがって、この止着ワッペン１１０は、必要なときにはいつでも剥ぎ取って使用することができ、また、何度でも使用することができる。
【００２５】
以上のとおり構成された本紙おむつ１０１を廃棄者が廃棄する場合には、先ず止着ワッペン１１０をバックシート１０２の所定の位置から剥ぎ取り、併せてシート１１１ａを面ファスナー１１２ａ、１１２ｂから剥ぎ取った後、図５に斜視図で示すように、本紙おむつ１０１を巻上げ、この後端部を止着ワッペン１１０で止着することにより作業を終了する。
【００２６】
以上のとおり、本紙おむつ１０１では、止着ワッペン１１０が紙おむつ本体１０５の外面、すなわちバックシート１０２の外面に対し平坦に（従来の紙おむつのように突出することなく）止着され、必要なときにはいつでも何度でも使用することができるように設けられているので、この止着ワッペン１１０は、本紙おむつ１０１の廃棄時に限らず、例えば本紙おむつ１０１を着用したときに緩過ぎるような場合に、この緩み部分をたくし上げ、止着ワッペン１１０を止着することにより緩み止めを図ることができる。また、上述したようにデザイン１３０が施されたシート１１１ａを乳幼児が好む一種のワッペンとして使用することができ、乳幼児の知育や遊戯具としても利用できる利点がある。また、本紙おむつ１０１を着用者にはかせようとしてサイドシール部等を破損してしまったような場合には、この止着ワッペン１１０を脇部補修として使用することができる。
【００２７】
また、紙おむつ本体１０５のデザイン１２０と止着ワッペン１１０のデザイン１３０とが互いに関連するもの、すなわち飛行機が雲の浮かぶ空中を飛んでいる絵柄をデザインしたものであるので、着用者の乳幼児等が好んで着用するようになり、また、おむつ交換を楽しく行なうことができるという利点がある。
【００２８】
以上、本発明の内容を一実施例に基き説明したが、本発明は構成を次のように変更することができる。
【００２９】
図６は、本発明の変更例に係わる止着ワッペン１４０を裏面側から見た斜視図である。図示するように、この止着ワッペン１４０は、全体形状が楕円状をなし、中央部に例えばプラスチックシートあるいはゴムシート等の伸縮性を有する矩形状の基体シート１４１を有し、この基体シート１４１の両側に半円形をなし、裏面に夫々オス材１４２ａ１、１４２ｂ１を有する面ファスナー１４２ａ、１４２ｂが接着されて成っている。このように構成された本止着ワッペン１４０は、前記実施形態と同様に紙おむつ本体１０５の前身頃１００Ｆ、あるいは後身頃１００Ｂの紙おむつ本体１０５の外面、すなわちバックシート１０２の外面に止着されており、使用時には、前記同様に止着位置から剥ぎ取られて使用されるが、本止着ワッペン１４０ではその中央部に伸縮性を有する基体シート１４１が設けられているので、矢印Ｙ３で示す両方向に引っ張りながら止着することにより、より強固に止着することができる。よって、前述した紙おむつ１０１を一層コンパクトに巻き上げて保管したり廃棄したりすることができ、また、着用時の緩み部分を一層強く締め付けることができる。
【００３０】
図７は、本発明の他の変更例に係わる止着ワッペン１５０を示すもので、（Ａ）はその平面図、（Ｂ）はその側面図である。この止着ワッペン１５０は、全体形状が多角形状をなす基体シート１５１の表面に絵柄１６０と、止着位置合わせ用のマーク、すなわちレジマーク１７０を印刷してなるデザインが施され、裏面には夫々オス材１５２ａ１、１５２ｂ１を備えたシート材１５２ａ、１５２ｂが接着されて成っている。この止着ワッペン１５０によれば、上記効果に加え、止着位置合わせが容易となる利点がある。
【００３１】
図８は、本発明のさらに他の変更例に係わる止着ワッペン１８０を示すもので、（Ａ）はその平面図、（Ｂ）はその側面図である。この止着ワッペン１８０は、全体形状が矩形状をなす基体シート１５１の表面にアルファベット文字１９０が印刷され、裏面の全域にオス材１５２が形成されているものである。この止着ワッペン１８０によれば、止着面積が増大されるので、止着力がアップする利点がある。
【００３２】
このように、本発明に係わる止着ワッペンは、その形状及び構成を、必要に応じ、種々のものに設計することができる。
【００３３】
なお、以上は一枚の止着ワッペンを一着の紙おむつに止着するようにしたものであるが、この止着ワッペンの枚数は必要に応じ増やすようにしてもよく、例えば図９に正面図で示すように、紙おむつ４０１の前身頃４００Ｆ位置に複数枚（この例では３枚）の止着ワッペン４１０ａ、４１０ｂ、４１０ｃを止着するようにしてもよい。このように数多く準備された止着ワッペン４１０ａ、４１０ｂ、４１０ｃを使用することにより、紙おむつ４０１をよりコンパクトに折り畳むことができる。
【００３４】
なお、このように紙おむつをコンパクトに折り畳むことは必ずしも廃棄時に限られるものではなく、この止着ワッペンを当該紙おむつの使用前においても同様に使用することができることはいうまでもない。
【００３５】
また、本発明に係る止着ワッペンを、例えば図１０に斜視図で示すように、複数個の紙おむつ製品２００が収納され、市場に出荷される製品パッケージ３００の表面、例えば側面３０１にポケット３０２を設け、このポケット３０２の内部に前述したような各種の止着ワッペンを封入し、あるいは製品パッケージ３００に添付してユーザーに渡るようにすることもできる。
【００３６】
さらにまた、本発明に係わる紙おむつは、使い捨て紙おむつに限らず、生理用ナプキンや各種パッドに適用されるものであることは前述したとおりである。
【符号の説明】
【００３７】
１、１０１、４０１                    使い捨て紙おむつ
２、１０２                            バックシート
５、１０５                            紙おむつ本体
８、１０８                            吸収体
９、１０９                            トップシート
１０、１１０、１４０、１５０、１８０  止着ワッペン
４１０ａ、４１０ｂ、４１０ｃ          止着ワッペン
２００                                紙おむつ製品
３００                                製品パッケージ
Ｂ、１００Ｂ                          後身頃
Ｆ、１００Ｆ、４００Ｆ                前身頃
【図１】
0004828625.tif 000002
【図２】
0004828625.tif 000003
【図３】
0004828625.tif 000004
【図４】
0004828625.tif 000005
【図５】
0004828625.tif 000006
【図６】
0004828625.tif 000007
【図７】
0004828625.tif 000008
【図８】
0004828625.tif 000009
【図９】
0004828625.tif 000010
【図１０】
0004828625.tif 000011
【図１１】
0004828625.tif 000012
【図１２】
0004828625.tif 000013
【図１３】
0004828625.tif 000014